【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
内部パウチ容積を画定する水溶性パウチであって、前記パウチが、少なくとも２つの水溶性フィルムを含み、前記少なくとも２つの水溶性フィルムのうちの１つのフィルムが、アニオン性モノマー単位と、任意に、マレイン酸、マレイン酸モノアルキル、マレイン酸ジアルキル、マレイン酸モノメチル、マレイン酸ジメチル、無水マレイン酸、前述のもののアルカリ金属塩、前述のもののエステル、および前述のものの組み合わせのうちの１つ以上とを含むポリビニルアルコールコポリマー、を含むポリビニルアルコール樹脂を含み、アニオン性モノマー単位を含むポリビニルアルコールコポリマーを含む前記水溶性フィルムが、水、１つ以上のジオールおよび／またはグリコール、ならびに界面活性剤を含む封止溶液を使用して別のフィルムに封止されている、水溶性パウチ。
【請求項２】
前記界面活性剤が、ポリオキシエチレン化ポリオキシプロピレングリコール、アルコールエトキシレート、アルキルフェノールエトキシレート、第三級アセチレングリコールおよびアルカノールアミド（非イオン性）、ポリオキシエチレン化アミン、第四級アンモニウム塩および四級化ポリオキシエチレン化アミン（カチオン性）、アミンオキシド、Ｎ−アルキルベタインおよびスルホベタイン（双性イオン）、ジオクチルソジウムスルホサクシネート、グリセリンとプロピレングリコールのラクチル化脂肪酸エステル、脂肪酸のラクチルエステル、アルキル硫酸ナトリウム、ポリソルベート２０、ポリソルベート６０、ポリソルベート６５、ポリソルベート８０、レシチン、グリセリンとプロピレングリコールのアセチル化脂肪酸エステル、および脂肪酸のアセチル化エステルから選択される１つ以上である、請求項１に記載の水溶性パウチ。
【請求項３】
前記界面活性剤が、ポリオキシエチレン化ポリオキシプロピレングリコール、アルコールエトキシレート、アルキルフェノールエトキシレート、第三級アセチレングリコールおよびアルカノールアミド、ポリオキシエチレン化アミン、第四級アンモニウム塩および四級化ポリオキシエチレン化アミン、アミンオキシド、Ｎ−アルキルベタイン、スルホベタイン、およびそれらの組み合わせから選択される１つ以上である、請求項２に記載の水溶性パウチ。
【請求項４】
両方のフィルムが、アニオン性モノマー単位と、任意にマレイン酸、マレイン酸モノアルキル、マレイン酸ジアルキル、マレイン酸モノメチル、マレイン酸ジメチル、無水マレイン酸、前述のもののアルカリ金属塩、および前述のもののエステル、ならびに前述のものの組み合わせのうちの１つ以上と、を含むポリビニルアルコールコポリマーを含むポリビニルアルコール樹脂を含む、請求項１に記載の水溶性パウチ。
【請求項５】
一方または両方のコポリマー含有ポリビニルアルコール樹脂が、２０℃で１２ｃＰ〜２５ｃＰの範囲の４％溶液粘度を有する、請求項４に記載のパウチ。
【請求項６】
前記樹脂が、２０℃で１４．５ｃＰ〜２５ｃＰの範囲の４％溶液粘度を有する、請求項５に記載のパウチ。
【請求項７】
前記フィルムのうちの一方または両方が、ポリビニルアルコールホモポリマー樹脂をさらに含む前記コポリマー樹脂のブレンドである、請求項４に記載のパウチ。
【請求項８】
一方または両方のフィルム中の前記ブレンドが、前記フィルム中のポリビニルアルコールの総重量に基づいて、アニオン性モノマー単位を含む３０〜１００重量パーセントの前記ポリビニルアルコールコポリマーと、０〜７０重量パーセントのポリビニルアルコールホモポリマーと、を含む、請求項７に記載のパウチ。
【請求項９】
一方または両方のフィルム中の前記アニオン性モノマー単位が、ビニル酢酸、アクリル酸アルキル、マレイン酸、マレイン酸モノアルキル、マレイン酸ジアルキル、マレイン酸モノメチル、マレイン酸ジメチル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、スルホン酸アルキル、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、前述のもののアルカリ金属塩、前述のもののエステル、および前述のものの組み合わせからなる群から選択される、請求項４に記載のパウチ。
【請求項１０】
一方または両方のフィルム中の前記アニオン性モノマー単位が、マレイン酸、マレイン酸モノアルキル、マレイン酸ジアルキル、マレイン酸モノメチル、マレイン酸ジメチル、無水マレイン酸、前述のもののアルカリ金属塩、およびそれらの組み合わせのうちの１つ以上を含む、請求項９に記載のパウチ。
【請求項１１】
一方または両方のフィルム中の前記アニオン性モノマー単位が、マレイン酸、マレイン酸モノメチル、マレイン酸ジメチル、無水マレイン酸、前述のもののアルカリ金属塩、前述のもののエステル、およびそれらの組み合わせからなる群から選択される、請求項１０に記載のパウチ。
【請求項１２】
一方または両方のフィルム中の前記ブレンドが、前記フィルム中のポリビニルアルコールの総重量に基づいて、アニオン性モノマーを含む少なくとも６５重量パーセントの前記ポリビニルアルコールコポリマーを含む、請求項１１に記載のパウチ。
【請求項１３】
一方または両方のフィルム中の前記ポリビニルアルコールコポリマーが、２〜８モル％の前記アニオン性モノマー単位を含む、請求項４に記載のパウチ。
【請求項１４】
前記水溶性樹脂が、８７〜９３の範囲の加水分解度を有するか、またはポリビニルアルコール樹脂のブレンドが使用される場合、加重算術平均加水分解度が、８７〜９３の範囲である、請求項１に記載のパウチ。
【請求項１５】
一方または両方のアニオン性コポリマーフィルムが、パウチ強度試験に従って封止され、調整され、試験された前記フィルムによる測定で、２０００Ｎ未満のパウチ強度を特徴とする、請求項４に記載のパウチ。
【請求項１６】
前記パウチが、パウチ強度試験による測定で、少なくとも２００Ｎのパウチ強度を有する、請求項１に記載のパウチ。
【請求項１７】
一方または両方のコポリマー含有フィルムが、可塑剤をさらに含む、請求項４に記載のパウチ。
【請求項１８】
前記可塑剤が、グリセリン、トリメチロールプロパン、ソルビトール、およびそれらの組み合わせからなる群から選択される、請求項１７に記載のパウチ。
【請求項１９】
一方または両方のコポリマー含有フィルムが、界面活性剤をさらに含む、請求項４に記載のパウチ。
【請求項２０】
前記界面活性剤が、ポリオキシエチレン化ポリオキシプロピレングリコール、アルコールエトキシレート、アルキルフェノールエトキシレート、第三級アセチレングリコールおよびアルカノールアミド、ポリオキシエチレン化アミン、第四級アンモニウム塩および四級化ポリオキシエチレン化アミン、およびアミンオキシド、Ｎ−アルキルベタイン、スルホベタイン、およびそれらの組み合わせからなる群から選択される、請求項１９に記載のパウチ。
【請求項２１】
少なくとも１つのフィルムが、嫌悪剤をさらに含む、請求項１に記載のパウチ。
【請求項２２】
一方または両方のコポリマー含有フィルムが、粘着性ＰＡ試験に従って試験された前記フィルムに関して、少なくとも１５００ｇ／ｓの粘着値を有する、請求項４に記載のパウチ。
【請求項２３】
水、１つ以上のジオールおよび／またはグリコール、ならびに界面活性剤を含む封止溶液を用いて、前記２つの水溶性フィルムを互いに溶剤封止することを含む、請求項１に記載の水溶性パウチの作製方法。